(57)【特許請求の範囲】
【請求項１】
ハウジングとリテーナとを備えて構成され、機器側のコネクタ結合部に対して接近・離反する方向で移動することにより、前記機器側コネクタ結合部に着脱自在となっているコネクタにおいて、
前記ハウジングは、ハウジング本体から延出して先端部に前記リテーナが当接し、かつ、前記リテーナが前記ハウジングに取り付けられるときに、前記リテーナを、復元している位置である中立位置に位置するように付勢する弾性部を有し、
前記中立位置に前記リテーナが位置しているときには、前記リテーナが、前記ハウジングに設けられ前記機器側コネクタ結合部に弾性変形して係合する係合部の弾性変形を規制部で規制するように構成されており、
前記リテーナが、前記ハウジングに対して前記接近する方向に前記中立位置から移動して前記弾性部が弾性変形した押圧位置、もしくは、前記ハウジングに対して前記離反する方向に前記中立位置から移動して前記弾性部が弾性変形した引き抜き位置に位置しているときには、前記係合部が弾性変形可能なように構成されており、
前記引き抜き位置で前記リテーナの係止構造が、前記ハウジングの係止構造に係止し、前記リテーナを前記離反する方向に移動することにより前記コネクタを一緒に引っ張って前記機器側コネクタ結合部から離脱させることができるように構成されており、
前記弾性部は、前記ハウジングに設けられた復元アームによって構成されており、
前記リテーナには、前記復元アームの当接部に当接する第１のテーパ部と、前記復元アームの当接部に当接する第２のテーパ部とが設けられており、
前記リテーナが前記中立位置に位置しているときには、前記復元アームの当接部が前記各テーパ部の間に位置しており、
前記リテーナが移動して、前記復元アームの当接部が前記第１のテーパ部または前記第２のテーパ部に当接することにより、前記リテーナからの押圧力で前記復元アームが弾性変形し、この復元アームの復元力で前記リテーナが前記中立位置に向かうような付勢がされるように構成されていることを特徴とするコネクタ。
【請求項２】
請求項１に記載のコネクタにおいて、
前記復元アームは、複数設けられており、前記リテーナの４隅で前記復元アームの当接部が前記リテーナのテーパ部に当接するように構成されていることを特徴とするコネクタ。
【請求項３】
請求項１または２に記載のコネクタにおいて、
前記係合部は、前記ハウジングに設けられたロックアームとこのロックアームの中間部もしくは先端部側に設けられているロックビークとによって構成されており、
前記規制部は、前記ロックビークの裏側に配置されて前記ロックアームの弾性変形を防止するように構成されていることを特徴とするコネクタ。
【請求項４】
請求項１〜請求項３のいずれか１項に記載のコネクタにおいて、
前記コネクタを前記機器側コネクタ結合部に設置する場合、前記リテーナを前記中立位置から移動させるときに要する力が、前記係合部を前記機器側コネクタ結合部の被係合部に係合させるときに要する力よりも大きくなるように構成されていることを特徴とするコネクタ。
【発明の詳細な説明】
【技術分野】
【０００１】
本発明は、コネクタに係り、たとえば、自動車等の機器に設けられている機器側コネクタ結合部に着脱されるものに関する。
【背景技術】
【０００２】
図１５は、従来のコネクタ３００の概略構成を示す分解斜視図であり、図１６〜図１８は、コネクタ３００やこのコネクタ３００が設置される機器側コネクタ結合部３０２の概略構成を示す断面図である。
【０００３】
従来のコネクタ３００（たとえば、特許文献１参照）は、ハウジング３０４とリテーナ３０６とを備えている。ハウジング３０４は、ソケット接点（端子部）３０８を収納する凹部３１０と、弾性変形可能なラッチアーム（ロックアーム）３１２と、リテーナ３０６を設置したときにリテーナ３０６を係止する係止部３１４とを備えている。ロックアーム３１２は、コネクタ３００を機器側コネクタ結合部３０２に設置するときに弾性変形すると共に、復元力によって、機器側コネクタ結合部３０２に一旦設置されたコネクタ３００が、機器側コネクタ結合部３０２から外れないようにするためのものである。
【０００４】
リテーナ３０６は、本体部３１６と、ヒンジ部３１８を介して本体部３１６に僅かに移動自在に設けられているカバー部３２０とを備えている。本体部３１６には、被係止部３２２が設けられている。ハウジング３０４の凹部３１０に端子部３０８を設置し、リテーナ３０６をハウジング３０４に設置したときに、係止部３１４と被係止部３２２とが係合し、コネクタ３００が形成されるようになっている。
【０００５】
また、リテーナ３０６のカバー部３２０には、ブロッキングラグ（規制アーム）３２４と、カバー部３２０の回動方向でカバー部３２０を付勢する弾性部３２６とが設けられている。そして、本体部３１６に対するカバー部３２０位置に応じて、規制アーム３２４によりロックアーム３１２の弾性変形が規制され、もしくは、ロックアーム３１２が弾性変形できるようになっている。
【０００６】
ここで、コネクタ３００を機器側コネクタ結合部３０２に設置するときの操作を説明する。
【０００７】
図１６（ａ）で示すように、コネクタ３００を機器側コネクタ結合部３０２に設置する前の状態では、規制アーム３２４により、ロックアーム３１２の内側への弾性変形（左右一対のロックアーム３１２のコネクタ３００の中心側への弾性変形）が規制されている。これにより、ロックアーム３１２のロックビーク３２８が、機器側コネクタ結合部３０２の開口部３３０に引っ掛かり、コネクタ３００の下方への移動ができないようになっている。
【０００８】
図１６（ａ）で示す状態で、リテーナ３０６のカバー部３２０に下向きの力を加えると、弾性部３２６が弾性変形し、図１６（ｂ）で示すように、カバー部３２０が下方に移動することより規制アーム３２４も下方に移動し、規制アーム３２４による規制が無くなる。続いて、リテーナ３０６に押されてハウジング３０４も下方に移動すると共に、一対のロックアーム３１２が開口部３３０で押されて内側に弾性変形し、ロックアーム３１２のロックビーク３２８が、機器側コネクタ結合部３０２の開口部３３０に入り込む。
【０００９】
図１６（ｂ）で示す状態で、ハウジング３０４のカバー部３２０に下向きの力をさらに加えると、図１７（ｃ）、図１７（ｄ）で示すように、ハウジング３０４とリテーナ３０６とが下方に移動し、やがて図１８（ｅ）に示す状態になる。
【００１０】
図１８（ｅ）では、一対のロックアーム３１２のロックビーク３２８が、開口部３３０を通りぬけて開口部３３０の下方に位置し、ロックアーム３１２が復元していると共に、弾性部３２６も復元し、規制アーム３２４により、ロックアーム３１２の内側への弾性変形が規制されている。
【００１１】
これにより、一旦、機器側コネクタ結合部３０２に設置されたコネクタ３００が、機器側コネクタ結合部３０２から容易には外れないようになっている。
【００１２】
なお、図１６等で示す参照符号３３２は、端子部３０８と接続するリードピンである。
【先行技術文献】
【特許文献】
【００１３】
【特許文献１】特表２００３−５２７７２６号公報
【発明の概要】
【発明が解決しようとする課題】
【００１４】
ところで、図１８（ｅ）で示すように、機器側コネクタ結合部３０２に設置されたコネクタ３００を、機器側コネクタ結合部３０２から取り外す場合には、上述した設置操作とはほぼ逆の操作を行えばよいのであるが、従来のコネクタ３００では、機器側コネクタ結合部３０２に設置されたコネクタ３００を、機器側コネクタ結合部３０２から取り外す解除操作が煩雑であるという問題がある。
【００１５】
すなわち、図１８（ｅ）に示す状態から、図１８（ｅ）に示すのように、リテーナ３０６のカバー部３２０を下方に押して、規制アーム３２４を下方に移動し、ロックアーム３１２の内側への弾性変形を可能にし、図１７（ｄ）に矢印で示すような力を加えて、ロックアーム３１２を内側に弾性変形させ、図１７（ｃ）や図１６（ｂ）に矢印で示すようにコネクタを上方に引っ張り、コネクタ３００を機器側コネクタ結合部３０２から取り外している。
【００１６】
図１８（ｅ）、図１７（ｄ）、図１７（ｃ）、図１６（ｂ）に示す矢印から理解されるように、コネクタ３００を機器側コネクタ結合部３０２から取り外す場合には、コネクタ３００に加える力の方向を順次変えなければならず、コネクタ３００を機器側コネクタ結合部３０２から取り外す解除（離脱）操作が煩雑になっている。
【００１７】
本発明は、上記問題点に鑑みてなされたものであり、機器側コネクタ結合部に設置されたコネクタを機器側コネクタ結合部から取り外す解除操作が簡素であるコネクタを提供することを目的とする。
【課題を解決するための手段】
【００１８】
本発明のある態様はコネクタに関する。このコネクタは、ハウジングとリテーナとを備えて構成され、機器側のコネクタ結合部に対して接近・離反する方向で移動することにより、前記機器側コネクタ結合部に着脱自在となっているコネクタにおいて、前記ハウジングは、ハウジング本体から延出して先端部に前記リテーナが当接し、かつ、前記リテーナが前記ハウジングに取り付けられるときに、前記リテーナを前記弾性部が復元している位置である中立位置に位置するように付勢する弾性部を有し、前記中立位置に前記リテーナが位置しているときには、前記リテーナが、前記ハウジングに設けられ前記機器側コネクタ結合部に弾性変形して係合する係合部の弾性変形を規制部で規制するように構成されており、前記リテーナが、前記ハウジングに対して前記接近する方向に前記中立位置から移動して前記弾性部が弾性変形した押圧位置、もしくは、前記ハウジングに対して前記離反する方向に前記中立位置から移動して前記弾性部が弾性変形した引き抜き位置に位置しているときには、前記係合部が弾性変形可能なように構成されており、前記引き抜き位置で前記リテーナの係止構造が、前記ハウジングの係止構造に係止し、前記リテーナを前記離反する方向に移動することにより前記コネクタを一緒に引っ張って前記機器側コネクタ結合部から離脱させることができるように構成されており、前記弾性部は、前記ハウジングに設けられた復元アームによって構成されており、前記リテーナには、前記復元アームの当接部に当接する第１のテーパ部と、前記復元アームの当接部に当接する第２のテーパ部とが設けられており、前記リテーナが前記中立位置に位置しているときには、前記復元アームの当接部が前記各テーパ部の間に位置しており、前記リテーナが移動して、前記復元アームの当接部が前記第１のテーパ部または前記第２のテーパ部に当接することにより、前記リテーナからの押圧力で前記復元アームが弾性変形し、この復元アームの復元力で前記リテーナが前記中立位置に向かうような付勢がされるように構成されている。
また、前記復元アームは、複数設けられており、前記リテーナの４隅で前記復元アームの当接部が前記リテーナのテーパ部に当接するように構成されてもよい。
また、前記係合部は、前記ハウジングに設けられたロックアームとこのロックアームの中間部もしくは先端部側に設けられているロックビークとによって構成されており、前記規制部は、前記ロックビークの裏側に配置されて前記ロックアームの弾性変形を防止するように構成されてもよい。
また、前記コネクタを前記機器側コネクタ結合部に設置する場合、前記リテーナを前記中間位置から移動させるときに要する力が、前記係合部を前記機器側コネクタ結合部の被係合部に係合させるときに要する力よりも大きくなるように構成されてもよい。
【発明の効果】
【００１９】
本発明によれば、機器側コネクタ結合部に設置されたコネクタを機器側コネクタ結合部から取り外す解除操作が簡素であるコネクタを提供することができるという効果を奏する。
【図面の簡単な説明】
【００２０】
【図１】本発明の実施形態に係るコネクタの概略構成を示す分解斜視図である。
【図２】コネクタとこのコネクタが接合される機器側コネクタ結合部とで構成されるコネクタシステムの概略構成を示す斜視図である。
【図３】コネクタの概略構成を示す斜視図である。
【図４】コネクタの概略構成を示す斜視図である。
【図５】コネクタにおいて、ハウジングからリテーナを取り外した状態を示す斜視図である。
【図６】コネクタにおいて、ハウジングからリテーナを取り外した状態を示す斜視図である。
【図７】コネクタを機器側コネクタ結合部に設置するときの操作を説明する図である。
【図８】コネクタを機器側コネクタ結合部に設置するときの操作を説明する図である。
【図９】コネクタを機器側コネクタ結合部から離脱させるときの操作を説明する図である。
【図１０】コネクタを機器側コネクタ結合部に設置するときの操作を説明する図である。
【図１１】コネクタを機器側コネクタ結合部に設置するときの操作を説明する図である。
【図１２】コネクタを機器側コネクタ結合部に設置するときの操作を説明する図である。
【図１３】コネクタを機器側コネクタ結合部に設置するときの操作およびコネクタを機器側コネクタ結合部から離脱させるときの操作を説明する図である。
【図１４】コネクタを機器側コネクタ結合部から離脱させるときの操作を説明する図である。
【図１５】従来のコネクタの概略構成を示す分解斜視図である。
【図１６】従来のコネクタやこのコネクタが設置される機器側コネクタ結合部の概略構成を示す断面図である。
【図１７】従来のコネクタやこのコネクタが設置される機器側コネクタ結合部の概略構成を示す断面図である。
【図１８】従来のコネクタやこのコネクタが設置される機器側コネクタ結合部の概略構成を示す断面図である。
【発明を実施するための形態】
【００２１】
図１は、本発明の実施形態に係るコネクタ（電気コネクタ）１の概略構成を示す分解斜視図であり、図２は、コネクタ１とこのコネクタ１が接合される機器（補機）側コネクタ結合部２とで構成されるコネクタシステム３の概略構成を示す斜視図である。なお、図２は、コネクタ１を機器側コネクタ結合部２から取り外した（離脱させた）状態を示している。
【００２２】
図３、図４は、コネクタ１の概略構成を示す斜視図である。なお、図３では、コネクタ１の一部（ハウジング１０の一部）を破断して示してある。図５、図６は、コネクタ１において、ハウジング１０からリテーナ２０を取り外した状態を示す斜視図である。なお、図６では、コネクタ１の一部（ハウジング１０の一部）を破断して示してある。
【００２３】
なお、以下説明の便宜のために、ハウジング１０に対するリテーナ２０の移動方向を、コネクタ１やハウジング１０やリテーナ２０の高さ方向とする。この高さ方向が、機器側コネクタ結合部２にコネクタ１を着脱するとき（設置もしくは離脱するとき）おけるコネクタ１の移動方向（接近・離反方向）になる。
【００２４】
また、前記高さ方向に直交する１つの方向を、コネクタ１やハウジング１０やリテーナ２０の幅方向とし、前記移動方向に直交する他の１つの方向であって前記幅方向に直交する方向を、コネクタ１やハウジング１０やリテーナ２０の縦方向とする場合がある。
【００２５】
さらに、前記高さ方向のうちで、機器側コネクタ結合部２にコネクタ１が近づく方向を下方向とし、機器側コネクタ結合部２からコネクタ１が離れる方向を上方向とする場合がある。
【００２６】
コネクタ（メスコネクタ）１は、ハウジング１０とリテーナ２０とを備えて構成されている。そして、コネクタ１は、機器側のコネクタ結合部２に対して接近・離反する方向（上下方向）で移動することにより、機器側コネクタ結合部２に着脱自在なっている。すなわち、コネクタ１は、ハウジング１０が機器側コネクタ結合部２に係合してもしくは機器側コネクタ結合部２から離脱して、機器側コネクタ結合部２に対して着脱自在なっている。
【００２７】
高さ方向にハウジング１０に対して移動自在なリテーナ２０がハウジング１０に対して中立位置（リテーナ２０の移動行程のほぼ中間の位置）に位置しているときに、リテーナ２０に設けられている規制部（規制アーム）２１が、ハウジング１０に設けられた係合部（ロックアーム）１１の弾性変形を規制するように構成されている。
【００２８】
この規制により、機器側コネクタ結合部２に設置されていないコネクタ１（ハウジング１０）を機器側コネクタ結合部２に容易には設置できないようになっており、また、機器側コネクタ結合部２に接合（設置）されているコネクタ１（ハウジング１０）が機器側コネクタ結合部２から容易には離脱（取り外し）できないようになっている。
【００２９】
なお、上記中立位置は、弾性部（復元アーム）１４がほぼ復元しているときにおけるリテーナ２０の位置（ハウジング１０に対するリテーナ２０の位置）である。復元アーム１４は、ハウジング１０に設けられており、リテーナ２０に当接している。
【００３０】
また、ロックアーム１１は、ハウジング１０に設けられており、コネクタ１を機器側コネクタ結合部２に一体的に設置するときにもしくはコネクタ１を機器側コネクタ結合部２から離脱させるときに弾性変形して、機器側コネクタ結合部２（図１０等に示す被係合部６１）に係合しもしくは機器側コネクタ結合部２から離脱するものである。
【００３１】
リテーナ２０が、ハウジング１０に対して上記中立位置から所定の距離だけ高さ方向に移動し、押圧位置（下方向に移動したときの位置）や引き抜き位置（上方向に移動したときの位置）に位置しているとき（押圧状態や引き抜き状態になっているとき）には、リテーナ２０の規制アーム２１による規制を受けることなく、ロックアーム１１が弾性変形可能なように構成されている。
【００３２】
そして、機器側コネクタ結合部２に設置されていないコネクタ１を機器側コネクタ結合部２に設置できるようになっており、また、機器側コネクタ結合部２に設置されているコネクタ１を機器側コネクタ結合部２から離脱させることができるようになっている。
【００３３】
なお、上記押圧位置は、ハウジング１０に接近する方向（下方向；機器側コネクタ結合部２に対してコネクタ１が接近する方向；リテーナ２０をハウジング１０に押し込む方向）に、上記中立位置から所定の距離だけ、リテーナ２０を移動した位置である。そして、上記押圧位置では、リテーナ２０から受ける力（押圧力）で、復元アーム１４が弾性変形している。
【００３４】
また、上記引き抜き位置は、ハウジング１０から離反する方向（上方向；機器側のコネクタ結合部２に対してコネクタ１が離反方向する方向；リテーナ２０をハウジング１０から引き抜く方向）に、上記中立位置から所定の距離だけ、リテーナ２０を移動した位置である。そして、上記引き抜き位置でも、リテーナ２０から受ける力（押圧力）で、復元アーム１４が弾性変形している。
【００３５】
また、上記引き抜き位置で、リテーナ２０の当接面（ハウジング引っ掛け部）２６がハウジング１０の被当接面９９（リテーナ引っ掛け部１７）に当接し、リテーナ２０を離反する方向（上方向）に移動することにより、機器側コネクタ結合部２に設置されているコネクタ１（ハウジング１０）をいっしょに引っ張って機器側コネクタ結合部２から離脱させることができるように構成されている。
【００３６】
復元アーム１４は、ハウジング１０にリテーナ２０が設けられておらず、復元アーム１４になんらの外力が加わっていない状態においては、弾性変形をしておらずに復元している。
【００３７】
また、復元アーム１４は、ハウジング１０にリテーナ２０が設置されこの設置されたリテーナ２０が上記中立位置に位置している状態では、ほぼ復元している。すなわち、リテーナ２０によって復元アーム１４に力が加わっておらず復元アーム１４が弾性変形していないか、もしくは、リテーナ２０によって復元アーム１４に小さな力が加わって復元アーム１４が少しだけ弾性変形していることにより、復元アーム１４がほぼ復元している。なお、リテーナ２０が上記中立位置に位置しリテーナ２０が復元アーム１４に力（押圧力）加えている場合、この加えている力やこの力による復元アーム１４の変形量は、リテーナ２０が上記押圧位置や上記引き抜き位置に位置しているときにリテーナ２０が復元アーム１４に加える力や復元アーム１４の変形量よりも小さくなっている。
【００３８】
これにより、ハウジング１０にリテーナ２０を組み付けた場合、常態では、リテーナ２０は復元アーム１４の復元力により上記中立位置に位置するようになっている。すなわち、ハウジング１０にリテーナ２０を組み付けた状態でリテーナ２０やハウジング１０になんら外力が加わっていないときには、リテーナ２０は上記中立位置に位置するようになっている。一方、リテーナ２０やハウジング１０に高さ方向の力が加わった場合には、この力が加わっているときに、リテーナ２０が上記押圧位置や上記引き抜き位置に位置するようになっている。そして、高さ方向の力を取り去れば、リテーナ２０は上記中立位置に戻るようになっている。
【００３９】
なお、復元アーム１４は、リテーナ２０が上記中立位置に位置するようにリテーナ２０を付勢する付勢手段７１の例である。
【００４０】
ハウジング１０は、ハウジング本体部７３と、このハウジング本体部７３に設けられ機器側コネクタ結合部２のピン５０に電気的に接続される端子３０を収納する端子収納部１２と、ハウジング本体部７３に設けられ機器側コネクタ結合部２に着脱されるときに弾性変形するロックアーム１１とを具備している。
【００４１】
ロックアーム１１は、機器側コネクタ結合部２の被係合部（環状の係合溝）６１に係合し始めるときと機器側コネクタ結合部２の被係合部６１に係合し終えたときとの間の状態（コネクタ１の機器側コネクタ結合部２への設置途中状態）のときに、機器側コネクタ結合部２の所定の部位（たとえば、被係合部６１と機器側嵌合間口部６０との間に存在しているコネクタ結合部本体部７９の内壁）に当接して弾性変形するように構成されている。
【００４２】
また、ロックアーム１１は、コネクタ１が機器側コネクタ結合部２から離れている状態では、弾性変形しておらず、コネクタ１を機器側コネクタ結合部２の被係合部６１に係合し終えた状態では、弾性変形していないかもしくは僅かに（たとえば、設置途中状態での弾性変形量よりも少ない量だけ）弾性変形している。
【００４３】
コネクタ１を機器側コネクタ結合部２に係合し終えた状態では、ロックアーム１１（ロックビーク１５）が被係合部６１に係合していることに加えて、ハウジング本体部７３が、機器側コネクタ結合部２（機器側嵌合間口部６０）に当接している。そして、コネクタ１（ハウジング１０）が、機器側コネクタ結合部２に一体的に設置されている。
【００４４】
リテーナ２０は、リテーナ本体部７５と、このリテーナ本体部７５に設けられロックアーム１１の弾性変形を規制する規制アーム２１とを備えており、ハウジング１０に対して機器側コネクタ結合部２に接近・離反する方向（上下方向）で所定の行程を（所定の距離だけ）移動するようにハウジング１０に設けられている。そして、リテーナ２０が前記行程の中間にある中立位置に位置しているときには、規制アーム２１でロックアーム１１の弾性変形を規制し、上記中立位置から所定の距離だけ移動したときに（押圧位置や引き抜き位置に位置したときに）、規制アーム２１による規制を解除するように構成されている。
【００４５】
ここで、規制アーム２１による規制が解除される場合について詳しく説明する。リテーナ２０は、ハウジング１０に対して、上記中立位置から一方向（下方向）へ所定の距離だけ移動するようになっている。この所定距離の移動が完了してリテーナ２０が押圧位置（上記行程の下端部の位置）に位置したときに、規制アーム２１による規制が無くなってロックアーム１１が弾性変形可能になり、コネクタ１（ハウジング１０）を機器側コネクタ結合部２に設置することができるようになっている。
【００４６】
また、リテーナ２０は、ハウジング１０に対して、上記中間位置から他方向（上方向）へ所定の距離だけ移動するようになっている。この所定距離の移動が完了してリテーナ２０が引き抜き位置（前記行程の上端部の位置）に位置したときに、規制アーム２１による規制が無くなって、ロックアーム１１が弾性変形可能になり、コネクタ１（ハウジング１０）を機器側コネクタ結合部２から抜き取ることができるようになっている。
【００４７】
復元アーム１４は、この長手方向の基端部が、ハウジング本体部７３に一体的に設けられている。
【００４８】
リテーナ２０には、復元アーム１４の長手方向の先端部に設けられている当接部１６に当接する第１のテーパ部（上側テーパ部；嵌合側テーパ部）２４と、復元アーム１４の当接部１６に当接する第２のテーパ部（下側テーパ部；離脱側テーパ部）２５とが設けられている。
【００４９】
そして、リテーナ２０が前記中立位置に位置しているときには、復元アーム１４の当接部１６が各テーパ部２４，２５の間に位置している。これにより、復元アーム１４は弾性変形していないか、もしくは僅かに弾性変形している。また、復元アーム１４の当接部１６は、各テーパ部２４，２５のいずれにも当接していないかもしくは各テーパ部２４，２５の両方に当接している。
【００５０】
リテーナ２０が移動して、復元アーム１４の当接部１６が第１のテーパ部２４または第２のテーパ部２５に当接することにより、リテーナ２０からの押圧力で復元アーム１４が弾性変形し、この復元アーム１４の復元力でリテーナ２０が上記中立位置に向かうように付勢される。なお、すでに理解されるように、上記中間位置からの移動距離が大きくなるにしたがって、復元アーム１４の弾性変形量が大きくなると共に、復元アーム１４よる、リテーナ２０を上記中立位置に戻す力が大きくなる。
【００５１】
復元アーム１４は、複数（たとえば４つ）設けられており、リテーナ２０の４隅で復元アーム１４の当接部１６がリテーナ２０のテーパ部２４，２５に当接するように構成されている。
【００５２】
これらの復元アーム１４の当接部１６に当接する各テーパ部２４，２５も当然に複数設けられている。すなわち、第１のテーパ部２４が復元アーム１４の個数と同じ数（４つ）、第２のテーパ部２５も復元アーム１４の個数と同じ数（４つ）設けられている。
【００５３】
さらに説明すると、ハウジング１０に対するリテーナ２０の移動方向（高さ方向）からコネクタ１（ハウジング１０やリテーナ２０）を見たときに、リテーナ２０は、矩形状に形成されており、ハウジング１０は、矩形な環状な部位（第１の部位）７７を備えて形成されており、第１の部位７７がリテーナ２０をほぼ囲んでいる。
【００５４】
４つの復元アーム１４は、矩形なリテーナ２０の外周の４隅（４つの各角部の近傍）に設けられている各テーパ部（第１のテーパ部２４と第２のテーパ部２５）に各当接部１６が当接するようにして、ハウジング１０の第１の部位７７の内側の４隅に設けられている。
【００５５】
なお、復元アーム１４や各テーパ部２４，２５を、リテーナ２０の４隅以外の箇所に設けてもよい。
【００５６】
たとえば、ハウジング１０に対するリテーナ２０の移動方向からコネクタ１を見たときに、リテーナ２０の幅方向の中心と縦方向の中心とに対して線対称になるようなリテーナ２０の外周位置に、各復元アーム１４や各テーパ部２４，２５を配置してもよく、もしくは、リテーナ２０の中心に対して点対称になるようなリテーナ２０の外周位置に、各復元アーム１４や各テーパ部２４，２５を配置してもよい。
【００５７】
さらに、高さ方向でコネクタ１を見たときに、各復元アーム１４や各テーパ部２４，２５が、リテーナ２０の周辺部で、所定の間隔をあけて設けられていると共に、リテーナ２０を上記中立位置における姿勢を保ったままハウジング１０に対して移動したときに、各復元アーム１４の復元力がお互いにほぼ等しくなるような位置に、各復元アーム１４や各テーパ部２４，２５が配置されていてもよい。
【００５８】
ロックアーム１１は、この長手方向の基端部がハウジング１０に設けられており、ロックアーム１１の長手方向の中間部もしくは先端部側には、ロックビーク１５が設けられている。ロックビーク１５は、ロックアーム１１の厚さ方向（ハウジング１０では幅方向）の一方の側（外側）に設けられている。すなわち、ロックビーク１５は、ハウジング１０の幅方向では、ハウジング１０の中心から離れる側に突出している。
【００５９】
規制アーム２１は、ロックビーク１５の裏側（内側；リテーナ２０やハウジング１０の中心側）に配置されて、ロックアーム１１の弾性変形を防止するようになっている。
【００６０】
すなわち、規制アーム２１は、ロックアーム１１の厚さ方向における、ロックビーク１５が突出している側とは反対側である裏側（ロックアーム１１やロックビーク１５の裏側）で、ロックアーム１１やロックビーク１５に接触して、ロックアーム１１やロックビーク１５を支持しロックアーム１１の内側への弾性変形を防止するようになっている。
【００６１】
また、コネクタ１では、コネクタ１を機器側コネクタ結合部２に設置する場合、リテーナ２０を上記中間位置から上記押圧位置に移動させるときに要する力（押圧力）が、ロックアーム１１を機器側コネクタ結合部２の被係合部６１に係合させるときに要する力（押圧力）よりも大きいように構成されている。
【００６２】
ここで、コネクタシステム３（機器側コネクタ結合部２；コネクタ１）についてさらに詳しく説明する。
【００６３】
機器側コネクタ結合部２は、自動車等の機器に一体的に設置されており、筒状のコネクタ結合部本体部７９とシャントリング４０とピン端子（ピン）５０とを備えて構成されている。
【００６４】
コネクタ結合部本体部７９の軸方向の基端部が機器に一体的に設置されており、コネクタ結合部本体部７９の軸方向の先端部には、リング状の機器側嵌合間口部６０が形成されている。機器側嵌合間口部６０は、コネクタ１が機器側コネクタ結合部２に設置されたときにコネクタ１のハウジング１０が接触する部位である。
【００６５】
また、コネクタ結合部本体部７９の内壁には、コネクタ１が機器側コネクタ結合部２に設置されたときにロックビーク１５が係合する円環状の溝（被係合部）６１が形成されている。被係合部６１は、機器側嵌合間口部６０から下方に僅かに離れて設けられている。
【００６６】
コネクタ結合部本体部７９の内部には、コネクタ１が機器側コネクタ結合部２に設置されるときや設置されたときにコネクタ１のハウジング１０が係合するシャントリング４０と、コネクタ１の端子３０が接合されるピン端子５０とが設けられている。
【００６７】
なお、コネクタ１や機器側コネクタ結合部２は、これらの幅方向でほぼ対称に形成されている。
【００６８】
ハウジング１０は、ハウジング本体部７３とカバー部１３とヒンジ部８１とを備えて構成されており、樹脂等の材料を一体成形して形成されている。ハウジング本体部７３とカバー部１３とはヒンジ部８１を介して接続されており、ヒンジ部８１を回動中心にし、カバー部１３がハウジング本体部７３に対して回動できるようになっている。
【００６９】
ハウジング本体部７３は、矩形な環状の第１の部位７７と、直方体状の第２の部位と、「コ」字状の第３の部位８５とを備えて形成されている。
【００７０】
第２の部位８３は、高さ方向から見た場合、第１の部位７７の内側に位置している。また、高さ方向では、第２の部位８３は、第１の部位７７の中間部から第１の部位７７の一端部（下部）を通過して、第１の部位７７の下部から延出している。
【００７１】
また、第２の部位８３は、縦方向の両端部で第１の部位７７に接続されており、幅方向の両端部は、第１の部位７７から離れている。これにより、高さ方向から見た場合、第２の部位８３の幅方向の両端部には、第２の部位８３と第１の部位７７とで囲まれている矩形な貫通孔８７が形成されている。また、第２の部位８３の内部は、端子３０を収納する端子収納部１２が形成されている。
【００７２】
第３の部位８５は、縦方向における第１の部位７７の一端部から延出して設けられている。また、縦方向から見た場合、第３の部位８５は「コ」字状に形成されている。そして、第３の部位８５は、高さ方向では、第２の部位８３が第１の部位７７から延出している側とは反対側（上側）に開口している。
【００７３】
カバー部１３は、矩形な平板状の基端部側部位（ヒンジ部側部位）８９と矩形な平板状の先端部側部位９１とを備えて構成されている。
【００７４】
そして、たとえば図１に示すように、縦方向でカバー部１３とハウジング本体部７３とが並んでいる状態で、第２の部位８３に端子３０を設置し、この設置後に、ヒンジ部８１を回動中心にしてカバー部１３を回動し、ハウジング本体部７３にカバー部１３を重ねると、カバー部１３の基端部側部位８９が第２の部位８３に重なり、先端部側部位９１が第３の部位８５に重なり、端子３０がハウジング１０に一体的に設置されるようになっている。このようにしてカバー部１３とハウジング本体部７３とが重なった状態で、ハウジング１０にリテーナ２０が設置され、コネクタ１が形成されるようになっている。
【００７５】
なお、ハウジング本体部７３にカバー部１３を重ねたときに、第３の部位８５の幅方向の両端部に設けられている係止突起９３に、カバー部１３の幅方向の両端部に設けられている被係止部９５が係合し、ハウジング本体部７３にカバー部１３を重ねた状態が維持されるようになっている。
【００７６】
復元アーム１４は、基端部側が曲がった「Ｊ」字状に形成されて、矩形な環状の第１の部位７７の内側で、第１の部位７７の内壁から延出して設けられている。また、復元アーム１４は、第１の部位７７の高さ方向では、復元アーム１４の基端部が、第１の部位７７の内壁の一端部側（第２の部位８３が延出している側；下側）に位置し、復元アーム１４の先端部側が、第１の部位７７の内壁の他端部側（上側）に向かって延びている。また、復元アーム１４の高さ（長さ）は、第１の部位７７の高さよりも僅かに小さくなっており、第１の部位７７の高さ方向では、復元アーム１４は、第１の部位７７の内側に位置している。
【００７７】
また、復元アーム１４は、第１の部位７７の４つの内面のうちの、縦方向でお互いが対向している２つの面に設けられている。復元アーム１４は、第１の部位７７（ハウジング１０）の幅方向では、第２の部位８３の幅方向の両端部の形成されている２つの空間（貫通孔８７）内に位置している。これにより、復元アーム１４は４つ設けられていることになる。
【００７８】
また、各復元アーム１４は、リテーナ２０の移動によってリテーナ２０の各テーパ部２４，２５で押され、先端部側が弾性変形するようになっている。このときの弾性変形の方向が、第１の部位７７の縦方向とほぼ一致している。
【００７９】
より詳しくは、復元アーム１４の先端部の当接部１６が、リテーナ２０に設けられている第１のテーパ部２４もしくは第２のテーパ部２５に当接し、復元アーム１４が弾性変形し片持ち梁のようにして撓むようになっている。このとき、各復元アーム１４の当接部１６等の先端部側は、第１の部位７７の内壁に近づく方向に弾性変形するようになっている。このように、各復元アーム１４が弾性変形すると、第１の部位７７の縦方向でリテーナ２０を挟む力が、各復元アーム１４によりリテーナ２０に加えられることになる。
【００８０】
ロックアーム１１は、基端部側が曲がった「Ｊ」字状に形成されて、２つ設けられている。これらのロックアーム１１は、直方体状の第２の部位８３の幅方向の両端部から延出している。また、第２の部位８３の高さ方向では、ロックアーム１１は、ロックアーム１１の基端部が、第２の部位８３の一端部（下側）の近傍に位置し、ロックアーム１１の先端側が、第２の部位８３の他端部側（上側）に向かって延びている。また、第２の部位８３の高さ方向では、ロックアーム１１の先端部は、第１の部位７７の端部（一端部；下端部）のところの位置しているが、第１の部位７７からは離れている。また、第２の部位８３の幅方向では、ロックアーム１１は、第２の部位８３から僅かに離れており、第２の部位８３の縦方向では、ロックアーム１１は、第２の部位８３のほぼ中央に位置している。
【００８１】
ロックビーク（ロックアームビーク）１５は、第２の部位８３の高さ方向（ロックアーム１１の長手方向）では、第２の部位８３のたとえば中間部に設けられている。また、第２の部位８３の幅方向では、ロックビーク１５は、第２の部位８３の中心から離れる側に（第２の部位８３の外側に）ロックアーム１１から突出している。また、第２の部位８３の縦方向では、ロックビーク１５の中心とロックアーム１１の中心とはお互いが一致していると共に、ロックビーク１５の縦方向の寸法がロックアーム１１の縦方向の寸法より大きくなっている。これにより、ハウジング１０の縦方向でロックビーク１５がロックアーム１１の両側に突出していることになる。なお、ロックビーク１５の縦方向の寸法は、第２の部位８３の縦方向の寸法とほぼ等しいか僅かに小さくなっており、ハウジング１０の縦方向では、ロックビーク１５は、第２の部位８３の内側に位置している。
【００８２】
第２の部位８３の幅方向の両端部には、リテーナ引っ掛け部１７が突出して設けられている。また、第２の部位８３の縦方向では、リテーナ引っ掛け部１７は、第２の部位８３の各端部側に設けられている。これにより、リテーナ引っ掛け部１７が４つ設けられていることになる。また、第２の部位８３の高さ方向では、リテーナ引っ掛け部１７は、第１の部位７７の上側に位置している。さらに、リテーナ引っ掛け部１７は、上側に位置している小さなテーパ面９７と、下側に位置し第２の部位の高さ方向に対して垂直な小さな平面９９とを備えている。
【００８３】
リテーナ２０は、リテーナ本体部７５と嵌合側テーパ部（第１のテーパ部）２４と引き抜き側テーパ部（第２のテーパ部）２５とリテーナ操作部２３と規制アーム２１とハウジング引っ掛け部２６とを備えて「コ」字状（コネクタ１の縦方向から見た場合に「コ」字状）に形成されている。また、リテーナ２０は、ハウジング１０と同様にして、樹脂等により一体成形されている。
【００８４】
リテーナ本体部７５は、矩形な形状に形成されており、リテーナ本体部７５の高さ方向の一方の端部（上側の端面）と、リテーナ本体部７５の幅方向の両端部（幅方向の両端部で規制アーム２１から僅かに突出している部位）とに、リテーナ操作部２３が形成されている。なお、リテーナ操作部２３のうちでリテーナ本体部７５の高さ方向の一方の端面に該当する部位は、リテーナ２０をハウジング１０に押し込むように近づけてコネクタ１を機器側コネクタ結合部２に設置するときに、オペレータの指で押される部位である。また、リテーナ操作部２３のうちでリテーナ本体部７５の幅方向の両端部に突出して設けられている部位は、リテーナ２０をハウジング１０から引き出しコネクタ１を機器側コネクタ結合部２から離脱するときに、オペレータが指をかける部位である。
【００８５】
第１のテーパ部２４は、前述したように、ハウジング１０の復元アーム１４の個数に応じて４つ設けられている。すなわち、第１のテーパ部２４は、リテーナ２０の縦方向でリテーナ本体部７５の両端部に設けられていると共に、リテーナ２０の幅方向では、リテーナ本体部７５の両端部の近傍に設けられている。また、リテーナ２０の高さ方向では、第１のテーパ部２４は、リテーナ２０の他端部側（規制アーム２１が延出している側とは反対側；上側）に設けられている。なお、前述したように、第１のテーパ部２４は、リテーナ２０をハウジング１０（ハウジング本体部７３とカバー部１３とが重なっているハウジング１０）に設置し、リテーナ２０をハウジング１０に押し込んだときに、復元アーム１４の当接部１６に当接し、復元アーム１４を弾性変形させる部位である。
【００８６】
第２のテーパ部２５も、ハウジング１０の復元アーム１４の個数に応じて４つ設けられている。すなわち、第２のテーパ部２５は、リテーナ２０の縦方向でリテーナ本体部７５の両端部に設けられていると共に、リテーナ２０の幅方向では、第１のテーパ部２４よりも外側でリテーナ本体部７５の両端部の近傍に設けられている。また、リテーナ２０の高さ方向では、第２のテーパ部２５は、リテーナ２０の中間部に設けられている。なお、前述したように、第２のテーパ部２５は、リテーナ２０をハウジング１０（ハウジング本体部７３とカバー部１３とが重なっているハウジング１０）に設置し、リテーナ２０をハウジング１０から引き抜くときに、復元アーム１４の当接部１６に当接し、復元アーム１４を弾性変形させる部位である。
【００８７】
なお、リテーナ２０の幅方向から見たときに、リテーナ２０の縦方向の一端部に、第１のテーパ部２４の傾斜面と第２のテーパ部２５の傾斜面とで「Ｖ」字状の部位が形成されており、同様にして、リテーナ２０の縦方向の他端部に、第１のテーパ部２４の傾斜面と第２のテーパ部２５の傾斜面とで「Ｖ」字状の部位が形成されている。そして、ハウジング１０に設置されたリテーナ２０が中立位置に存在している状態では、復元アーム１４の先端部の当接部１６が、「Ｖ」字状の部位の底部に嵌っている。
【００８８】
規制アーム２１は、リテーナ２０の幅方向の両端部で、リテーナ２０の高さ方向の一端部側（下側）へ、リテーナ本体部７５から延出して設けられている。これにより規制アーム２１は２つ設けられていることになり、２つの規制アーム２１とリテーナ本体部７５とで、リテーナ２０が「コ」字状に形成されていることになる。
【００８９】
規制アーム２１の中央部（リテーナ２０の縦方向における中央部）であって規制アーム２１の外側（リテーナ２０の幅方向でリテーナ２０の中心とは反対側）の部位には、溝１０１が設けられている。この溝１０１は、規制アーム２１の先端部（リテーナ２０の高さ方向における先端部；下端部）から規制アーム２１の中間部（リテーナ２０の高さ方向における中間部）にかけて設けられている。そして、ハウジング１０にリテーナ２０を設置した状態では、ハウジング１０のロックアーム１１が溝１０１に入り込むようになっている。なお、溝１０１に入り込んだロックアーム１１は、リテーナ２０の規制アーム２１による規制が無ければ、弾性変形可能になっている。
【００９０】
規制アーム２１の先端部側（リテーナ２０の高さ方向における先端部側；下側）であって規制アーム２１の外側（リテーナ２０の幅方向でリテーナ２０の中心とは反対側）の部位には、溝１０１とは別の溝１０３が設けられている。この溝１０３は、リテーナ２０の縦方向では貫通して設けられている。
【００９１】
そして、ハウジング１０に設置されたリテーナ２０が上記押圧位置に位置しているときには、ロックビーク１５が溝１０３に入り込むことにより、ロックアーム１１が弾性変形できるようになっている。これにより、コネクタ１を機器側コネクタ結合部２に設置することができるようになっている（図１１や図１２参照）。
【００９２】
また、ハウジング１０に設置されたリテーナ２０が上記引き抜き位置に位置しているときには、規制アーム２１の先端（下端）がロックビーク１５からはずれ、ロックアーム１１が弾性変形できるようになっている。これにより、コネクタ１を機器側コネクタ結合部２から離脱させることができるようになっている（図１４参照）。
【００９３】
さらに、ハウジング１０に設置されたリテーナ２０が上記中立位置に位置しているときには、ロックビーク１５（ロックビーク１５の裏側の面）が、規制アーム２１の先端部（下端部）と溝１０３との中間に位置している部位２２に当接し、ロックアーム１１が弾性変形できないようになっている。これにより、このままでは（リテーナ２０が上記中立位置に位置しているままでは）、コネクタ１を機器側コネクタ結合部２に設置することができないようになっていると共に、機器側コネクタ結合部２に設置されたコネクタ１が、機器側コネクタ結合部２から離脱できないようになっている。
【００９４】
ハウジング引っ掛け部２６は、各規制アーム２１の内側に設けられている。さらに説明すると、ハウジング引っ掛け部２６は、規制アーム２１の内側に設けられている小さな４つの平面（リテーナ２０の高さ方向に対して垂直な平面）１０５で構成されている。
【００９５】
リテーナ２０のハウジング１０への設置は、リテーナ２０をハウジング１０に押し込むのであるが、このときに、まず、各規制アーム２１の先端が、リテーナ引っ掛け部１７の小さなテーパ面９７に接触し、各規制アーム２１の先端側が外側（お互いが離れる方向に）弾性変形する。この後、さらなるリテーナ２０の押し込みを行うと、リテーナ引っ掛け部１７と規制アーム２１との接触が無くなり、規制アーム２１の弾性変形が無くなる。この弾性変形が無くなった後、所定の距離だけさらなるリテーナ２０の移動がを行われると、リテーナ２０が上記中立位置に位置し、ハウジング引っ掛け部２６の小さな平面１０５と、リテーナ引っ掛け部１７の小さな平面９９とが所定の距離だけ離れて対向する（たとえば、図１０（ａ）参照）。
【００９６】
なお、リテーナ２０をハウジング１０に一旦設置した後は、各規制アーム２１は、ほとんど弾性変形しないようになっている。さらに、リテーナ２０をハウジング１０に一旦設置したきには、ハウジング１０の第２の部位８３の側面で、規制アーム２１が支持されているので、ロックビーク１５で押されても、規制アーム２１が内側に変形することはほとんどないようになっている。
【００９７】
また、ハウジング１０に設置したリテーナ２０が上記中立位置に位置している状態では、上述したように、ハウジング引っ掛け部２６の小さな平面１０５と、リテーナ引っ掛け部１７の小さな平面９９とが所定の距離だけ離れて対向しており、リテーナ２０が上記引き抜き位置に位置したときには、ハウジング引っ掛け部２６の小さな平面１０５と、リテーナ引っ掛け部１７の小さな平面９９とがお互いに面接触する。これにより、ハウジング１０に対するリテーナ２０の移動距離の他方の端（引き抜き位置）が決まると共に、引き抜き方向の力をリテーナ２０のみに加えれば、リテーナ２０に引っ張られてハウジング１０も上方に移動し、機器側コネクタ結合部２からのコネクタ１の取り外しをすることができるようになっている。
【００９８】
なお、図示しないストッパ同士（ハウジング１０に設けられているストッパとリテーナ２０に設けられているストッパ）がお互いに当接することで、ハウジング１０に対するリテーナ２０の移動距離の下端（リテーナ２０の押圧位置）が決まるようになっている。
ここで、コネクタシステム３の操作について説明する。
まず、コネクタ１の組立操作について説明する。
【００９９】
図１に示すように、コネクタ１が分解されている状態で、端子収納部１２に端子３０を設置し、カバー部１３を回動させて、カバー部１３をハウジング本体部７３に重ねて固定する。
【０１００】
続いて、ハウジング１０にリテーナ２０を押し込んで設置する。これにより、リテーナ２０が上記中立位置に位置したコネクタ１が生成される。
次に、コネクタ１を機器側コネクタ結合部２に設置する操作について説明する。
【０１０１】
図７、図８、図１０〜図１３は、コネクタ１を機器側コネクタ結合部２に設置するときの操作を説明する図である。なお、図７、図８は、コネクタ１や機器側コネクタ結合部２の斜視図であり、図１０〜図１３の（ａ）は、コネクタ１の縦方向に垂直な平面であってコネクタ１の中心を通る平面による、コネクタ１や機器側コネクタ結合部２の断面を示しており、図１０〜図１３の（ｂ）は、コネクタ１の幅方向に垂直であってコネクタ１の中心から外れた平面による、コネクタ１や機器側コネクタ結合部２の断面を示している。
【０１０２】
まず、図７、図１０で示すように、幅方向および縦方向で、機器側コネクタ結合部２に対するコネクタ１の位置決めをし、機器側嵌合間口部６０にロックビーク１５を当接させる。この状態では、リテーナ２０は上記中立位置に位置している。
【０１０３】
続いて、図１１に白抜き矢印で示すようにリテーナ２０を押圧すると、図１１（ｂ）の矢印で示すように復元アーム１４が弾性変形し、コネクタ１の高さ方向で、ロックビーク１５と溝１０３との位置が一致し、ロックアーム１１が弾性変形可能な状態になる。ここで、白抜き矢印で示すようにリテーナ２０をさらに押し込むと、機器側嵌合間口部６０から受ける反力により、図１１（ａ）に矢印で示すように、ロックアーム１１が弾性変形を始める。このとき、リテーナ２０は、上記押圧位置に位置し続けている。
【０１０４】
このようにロックアーム１１が弾性変形することにより、ロックビーク１５が、コネクタ結合部本体部７９内に入り込み、やがて図１２で示す状態になる。
【０１０５】
図１２で示す状態では、機器側コネクタ結合部２の被係合部６１に、ロックビーク１５が復元して入り込んでいる。
【０１０６】
図１２で示す状態において、白抜き矢印の力を加えることを止めると、復元アーム１４の復元力で、リテーナ２０が上記中立位置に戻り、図１３に示す状態になり、機器側コネクタ結合部２へのコネクタ１の設置が終了する。この設置が終了した状態では、規制アーム２１により、ロックアーム１１の弾性変形が規制されているので、コネクタ１が機器側コネクタ結合部２から容易には外れないようになっている。
【０１０７】
なお、コネクタ１を機器側コネクタ結合部２に設置する場合、リテーナ２０を上記中間位置から上記押圧位置に移動させるときに要する力（押圧力）が、ロックビーク１５を機器側コネクタ結合部２の被係合部６１に係合させるときに要する力（押圧力）よりも大きくなるように構成されている（たとえば、復元アーム１４やロックアーム１１の形態を適宜決めて構成されている）ので、図１０の状態から図１１の状態に移行するときにリテーナ２０に加える押し込み力が、図１１の状態から図１２の状態に移行するときにリテーナ２０に加える押し込み力よりも大きくなっている。
【０１０８】
次に、コネクタ１を機器側コネクタ結合部２から離脱させる操作について説明する。
【０１０９】
図９、図１３、図１４は、コネクタ１を機器側コネクタ結合部２から離脱させるときの操作を説明する図である。なお、図９は、コネクタ１や機器側コネクタ結合部２の斜視図であり、図１４の（ａ）は、コネクタ１の縦方向に垂直な平面であってコネクタ１の中心を通る平面による、コネクタ１や機器側コネクタ結合部２の断面を示しており、図１４の（ｂ）は、コネクタ１の幅方向に垂直であってコネクタ１の中心から外れた平面による、コネクタ１や機器側コネクタ結合部２の断面を示している。
【０１１０】
まず、図１３で示すように、コネクタ１が機器側コネクタ結合部２に設置されている状態において、図９や図１３で示すように、コネクタ１を引き抜く方向で、リテーナ２０に上方向の力を加える。
【０１１１】
これにより、図１４で示すように、復元アーム１４が、図１４（ｂ）に矢印で示すように弾性変形し、リテーナ２０が引き抜き位置に位置し、ロックアーム１１が弾性変形可能な状態になる。
【０１１２】
図１４で示す状態において、図１４に白抜き矢印で示すようなさらなる引き抜き力をリテーナ２０に加えると、図１４（ａ）に矢印で示すように、ロックアーム１１が弾性変形し、ロックビーク１５が、被係合部６１やコネクタ結合部本体部７９から外れ、コネクタ１の離脱が終了する。この後、リテーナ２０が上記中立位置に戻る。
【０１１３】
コネクタ１によれば、コネクタ１が機器側コネクタ結合部２に設置された状態では、上記中立位置に位置しているリテーナ２０の規制アーム２１により、ロックアーム１１の弾性変形が規制されるので、コネクタ１が機器側コネクタ結合部２から容易に外れないようになっている。また、機器側コネクタ結合部２に設置されたコネクタ１を、機器側コネクタ結合部２から取り外すとき、リテーナ２０のみを一方向（上方向）の引っ張ればよいので、機器側コネクタ結合部２に設置されたコネクタ１を、機器側コネクタ結合部２から取り外す解除操作が簡素になっている。
【０１１４】
また、コネクタ１によれば、復元アーム１４の当接部１６がテーパ部２４，２５に当接して付勢されるように構成されているので、簡素な構成で、リテーナ２０の上記中立位置への付勢をすることができる。
【０１１５】
また、コネクタ１によれば、リテーナ２０の４隅で復元アーム１４の当接部１６がリテーナ２０のテーパ部２４，２５に当接するように構成されているので、リテーナ２０がバランス良く付勢され、リテーナ２０がハウジング１０に偏って挿入等されることがなくなり、コネクタ１の着脱の際、ハウジング１０に対してリテーナ２０がスムーズに移動するようになっている。
【０１１６】
また、コネクタ１によれば、コネクタ１を機器側コネクタ結合部２に設置する場合、リテーナ２０を上記中間位置から上記押圧位置に移動させるときに要する力（押圧力）が、ロックビーク１５を機器側コネクタ結合部２の被係合部６１に係合させるときに要する力（押圧力）よりも大きくなるように構成されているので、慣性効果により、コネクタ１を機器側コネクタ結合部２に設置するときにおける中途嵌合状態（図１１と図１２の間の状態）を回避することができる。すなわち、リテーナ２０を上記中間位置から上記押圧位置に移動させるためにリテーナ２０に加えた力により、コネクタ１が運動量を備え、この運動量によりコネクタ１が下方に移動し、ロックビーク１５が途中につっかえることなく機器側コネクタ結合部２の被係合部６１に確実に係合する。
【０１１７】
なお、リテーナ２０を上記中間位置から上記押圧位置に移動させるときに要する力（押圧力）を大きくする上記構成は、復元アーム１４を４つ等の複数設けてあることで容易に達成されている。すなわち、復元アーム１４を複数設けたことより、リテーナ２０が上記中立位置から移動するのに要する力を大きくすることが容易になっている。
【０１１８】
また、従来のコネクタ３００では、リテーナ３０６に弾性部３２６を形成してあるので、リテーナ３０６の材料としてガラス強化材等の強化材を採用することが難しい。したがって、リテーナ３０６の強度を確保するためにリテーナ３０６の肉厚を厚くする必要がある。また、リテーナ３０６の弾性部３２６がコネクタ３００の表面に露出しているので、外力によって弾性部（復元アーム）３２６が変形したり破損したりするおそれがある。
【０１１９】
しかし、コネクタ１では、弾性部に相当する復元アーム１４をハウジング１０の内側に設けてあり、リテーナ２０をハウジング１０に最初に設置するときにのみ規制アーム２１が１回だけ弾性変形するが、その後は、リテーナ２０は弾性変形しない。したがって、規制アーム２１の変形や破損が回避され、リテーナ２０を構成する材料として撓みに対して不利なガラス強化材を採用することができ（ガラス繊維を混入させてリテーナを成形することができ）、リテーナ２０を薄肉化することができ（図４の「ｔ」の寸法を小さくすることができ）、リテーナ２０を小型化することができる（図４の「ｈ」の寸法を小さくすることができる。
【０１２０】
また、従来のコネクタ３００では、ロックアーム３１２に、ロックビーク３２８を機器側コネクタ結合部の被係合部から離脱させるための突出部３３４が設けられており、この突出部３３４により、コネクタ３００が大型化すると共に、突出部３３４が、コネクタ３００等の搬送時に障害物に引っ掛かり変形したり破損したりするおそれがある。
【０１２１】
しかし、コネクタ１によれば、突出部３３４のような突出部を設ける必要がないので、コネクタ１の大型化や搬送の際における破損等を防止することができる。
【０１２２】
また、コネクタ１によれば、ロックビーク１５の長手方向（ハウジング１０では縦方向）のほぼ全長にわたって、規制アーム２１がロックビーク１５を支持してロックアーム１１の弾性変形を規制しているので、コネクタ１を機器側コネクタ結合部２に設置するときにおける規制アーム２１と機器側嵌合間口部６０との干渉を避けることができる（コネクタ結合部本体部７９内に、ロックビーク１５と共に規制アーム２１が入り込める）と共に、リテーナ２０が前記中立位置に位置しているときにおけるロックアーム１１の弾性変形を確実に防止することができる。
【符号の説明】
【０１２３】
１  コネクタ
２  機器側コネクタ結合部
１０  ハウジング
１１  ロックアーム
１４  復元アーム
１５  ロックビーク
１６  当接部
２０  リテーナ
２１  規制アーム
２４  第１のテーパ部
２５  第２のテーパ部
６１  被係合部
７１  付勢手段
７３  ハウジング本体部
７５  リテーナ本体部
【図１】
0005666181.tif 000002
【図２】
0005666181.tif 000003
【図３】
0005666181.tif 000004
【図４】
0005666181.tif 000005
【図５】
0005666181.tif 000006
【図６】
0005666181.tif 000007
【図７】
0005666181.tif 000008
【図８】
0005666181.tif 000009
【図９】
0005666181.tif 000010
【図１０】
0005666181.tif 000011
【図１１】
0005666181.tif 000012
【図１２】
0005666181.tif 000013
【図１３】
0005666181.tif 000014
【図１４】
0005666181.tif 000015
【図１５】
0005666181.tif 000016
【図１６】
0005666181.tif 000017
【図１７】
0005666181.tif 000018
【図１８】
0005666181.tif 000019